(57)【特許請求の範囲】
【請求項１】
ドアハンドルを回動することによって、ラッチを進退動させるラッチ駆動機構を有するドアの錠において、
ラッチを回動自在にすると共に大径の先端頭部とそれより径の小さい後端部とで形成し、
前記ラッチ駆動機構を、ドアハンドルの軸から立設した立設片と、ドアハンドルの軸から垂下設した垂下片と、ラッチの後端部に挿通して立設した垂直バーと、後端部に大径部が設けられ、大径部の前側に立設片を回動自在に取付けられると共に立設片のさらに前側に垂直バーの上端部が連結された水平バーと、水平バーの、立設片と垂直バーとの間に介挿され、垂直バーを前方へ付勢してラッチの先端頭部をドアから突出させる第一バネ材と、垂下片を後方へ付勢して立設片を前方に回動させドアハンドルを定位置に戻す第二バネ材とで構成し、
さらに、ラッチの先端頭部に凹部を形成すると共に、ラッチの後端部に肉太部を形成しその肉太部と垂直バーとの間に第一バネ材より大きな弾力を有する反転バネ材を介挿してなり、
前記凹部に棒片の先端を差込んで、ラッチを反転バネ材の付勢に抗してその後端部がドアから突出する一定長さ引き出し、左右を反転し、棒片の先端を抜くと、ラッチが反転バネ材の付勢によって引き戻され左右反転した状態になるようにしたことを特徴とするドアの錠。
【請求項２】
ドアハンドルを回動することによって、ラッチを進退動させるラッチ駆動機構を有するドアの錠において、
ラッチを回動自在にすると共に大径の先端頭部とそれより径の小さい後端部とで形成し、
前記ラッチ駆動機構を、ドアハンドルの軸から立設した立設片と、ドアハンドルの軸から垂下設した垂下片と、ラッチの後端部に挿通して垂下設した垂直バーと、後端部に大径部が設けられ、大径部の前側に立設片を回動自在に取付けられると共に立設片のさらに前側に垂直バーの下端部が連結された水平バーと、水平バーの、立設片と垂直バーとの間に介挿され、垂直バーを前方へ付勢してラッチの先端頭部をドアから突出させる第一バネ材と、垂下片を後方へ付勢して立設片を前方に回動させドアハンドルを定位置に戻す第二バネ材とで構成し、
さらに、ラッチの先端頭部に凹部を形成すると共に、ラッチの後端部に肉太部を形成しその肉太部と垂直バーとの間に第一バネ材より大きな弾力を有する反転バネ材を介挿してなり、
前記凹部に棒片の先端を差込んで、ラッチを反転バネ材の付勢に抗してその後端部がドアから突出する一定長さ引き出し、左右を反転し、棒片の先端を抜くと、ラッチが反転バネ材の付勢によって引き戻され左右反転した状態になるようにしたことを特徴とするドアの錠。
【発明の詳細な説明】
【０００１】
【発明の属する技術分野】
本発明は、主として一般住宅のドアに取付けられる錠に関するものである。
【０００２】
【従来の技術】
一般住宅に設けられるドアにおいては、間取りの都合から、ヒンジをその左側に取付けた、いわゆる左吊り用（左用）と、右側に取付けた、右吊り用（右用）が使用されている。また、これに対応してドア枠も左用と右用のものが使用されている。しかし、左用と右用の二種類のドアおよびドア枠を製造するということは、製造のみならず保管や販売等においても二重の手間を要することとなり好ましくない。
【０００３】
こうした点に鑑み、本出願人は、左用と右用の両方に兼用することのできるドアとドア枠との組合わせ構造を発明し、先に出願した（特願平１１−０４６３４７号）。これは、ドアハンドルの高さ位置を変更することなく、ドアの中間高さ位置にラッチを設けると共に、ドア枠の同じく中間高さ位置にラッチ穴を設けることができる構造としたものである。この発明によって、同一のドアおよびドア枠を左右両用に使用することが可能となった。
【０００４】
しかし、このドアに取付けられる錠のラッチは、その形状から左右両方に兼用することが困難であった。ラッチも、その姿勢を自在に反転させて、ドアおよびドア枠と同じように左右兼用とすることができれば便利である。
【０００５】
従来、ラッチの姿勢を反転可能とした錠として、例えば「チューブラ錠」と称されるものがある。この錠におけるラッチの反転は、ハンドルを含む錠全体を一旦取付け穴から完全に取外し、ラッチの方向を反対にして差し戻した後、ハンドルを取付けることによって行っている。
【０００６】
また、他の従来技術として、ドアに形成したラッチ用の開口部を、大きな開口部を有する裏側プレートと、ラッチの形状に対応した開口部を有する表側プレートとで塞ぎ、表側プレートを外してラッチの方向を反転した後、当該表側プレートを再び取付けるようにしたものがある。
【０００７】
【発明が解決しようとする課題】
しかしながら、「チューブラ錠」と称される前者の従来技術は、ラッチの姿勢を反転するために、ハンドルを含めた錠全体を取外さなければならず、作業が厄介である。また、その際、錠の取付けネジを一旦取外し、再度、同一箇所に締め込むので、当然にネジが緩み易くなる。
【０００８】
また、二枚のプレートを有する後者の従来技術においては、余分なプレートを必要とすることになり、また、ラッチを反転させるに際して、表側プレートを一旦取外した後、再度取付けなければならないので、取付ネジが緩み易くなると言った問題がある。
【０００９】
そこで、本発明の目的とするところは、ラッチの姿勢を容易に反転することのできるドアの錠を提供することにある。
また、他の目的は、ラッチの姿勢を容易に反転することができ、左吊り用および右吊り用の両方に兼用できるドアに取付けるドアの錠を提供することにある。
【００１０】
【課題を解決するための手段】
上記の目的を達成するために、本発明の請求項１に記載のドアの錠（１５）は、ドアハンドル（９０）を回動することによって、ラッチ（４０）を進退動させるラッチ駆動機構（６０）を有するドアの錠において、ラッチ（４０）を回動自在にすると共に大径の先端頭部（４０Ｆ）とそれより径の小さい後端部（４０Ｒ）とで形成し、ラッチ駆動機構（６０）を、ドアハンドル（９０）の軸（９１）から立設した立設片（６１）と、ドアハンドル（９０）の軸（９１）から垂下設した垂下片（６２）と、ラッチ（４０）の後端部（４０Ｒ）に挿通して立設した垂直バー（７２）と、後端部に大径部（６４ａ）が設けられ、大径部（６４ａ）の前側に立設片（６１）を回動自在に取付けられると共に立設片（６１）のさらに前側に垂直バー（７２）の上端部が連結された水平バー（６４）と、水平バー（６４）の、立設片（６１）と垂直バー（７２）との間に介挿され、垂直バー（７２）を前方へ付勢してラッチ（４０）の先端頭部をドア（１０）から突出させる第一バネ材（６６）と、垂下片（６２）を後方へ付勢して立設片（６１）を前方に回動させドアハンドル（９０）を定位置に戻す第二バネ材（６５）とで構成し、さらに、ラッチ（４０）の先端頭部（４０Ｆ）に凹部（４０ａ）を形成すると共に、ラッチ（４０）の後端部（４０Ｒ）に肉太部（４０ｂ）を形成しその肉太部（４０ｂ）と垂直バー（７２）との間に第一バネ材（６６）より大きな弾力を有する反転バネ材（７１）を介挿してなり、凹部（４０ａ）に棒片（９５）の先端を差込んで、ラッチ（４０）を反転バネ材（７１）の付勢に抗してその後端部（４０Ｒ）がドア（１０）から突出する一定長さ引き出し、左右を反転し、棒片（９５）の先端を抜くと、ラッチ（４０）が反転バネ材（７１）の付勢によって引き戻され左右反転した状態になるようにしたことを特徴とする。
【００１１】
また、請求項２に記載のドアの錠（１５）は、ドアハンドル（９０）を回動することによって、ラッチ（４０）を進退動させるラッチ駆動機構（６０）を有するドアの錠において、ラッチ（４０）を回動自在にすると共に大径の先端頭部（４０Ｆ）とそれより径の小さい後端部（４０Ｒ）とで形成し、ラッチ駆動機構（６０）を、ドアハンドル（９０）の軸（９１）から立設した立設片（６１）と、ドアハンドル（９０）の軸（９１）から垂下設した垂下片（６２）と、ラッチ（４０）の後端部（４０Ｒ）に挿通して垂下設した垂直バー（６３）と、後端部に大径部（６４ａ）が設けられ、大径部（６４ａ）の前側に立設片（６１）を回動自在に取付けられると共に立設片（６１）のさらに前側に垂直バー（６３）の下端部が連結された水平バー（６４）と、水平バー（６４）の、立設片（６１）と垂直バー（６３）との間に介挿され、垂直バー（６３）を前方へ付勢してラッチ（４０）の先端頭部をドア（１０）から突出させる第一バネ材（６６）と、垂下片（６２）を後方へ付勢して立設片（６１）を前方に回動させドアハンドル（９０）を定位置に戻す第二バネ材（６５）とで構成し、さらに、ラッチ（４０）の先端頭部（４０Ｆ）に凹部（４０ａ）を形成すると共に、ラッチ（４０）の後端部（４０Ｒ）に肉太部（４０ｂ）を形成しその肉太部（４０ｂ）と垂直バー（６３）との間に第一バネ材（６６）より大きな弾力を有する反転バネ材（７１）を介挿してなり、凹部（４０ａ）に棒片（９５）の先端を差込んで、ラッチ（４０）を反転バネ材（７１）の付勢に抗してその後端部（４０Ｒ）がドア（１０）から突出する一定長さ引き出し、左右を反転し、棒片（９５）の先端を抜くと、ラッチ（４０）が反転バネ材（７１）の付勢によって引き戻され左右反転した状態になるようにしたことを特徴とする。
【００１３】
なお、カッコ内の符号は図面および後述する発明の実施の形態に記載された対応要素または対応事項を示す。
【００１４】
本発明に記載のドアの錠によれば、ドアハンドルを回動することによって、ラッチを進退動させるラッチ駆動機構を有し、ラッチの先端頭部に凹部を形成すると共に、ラッチの後端部に反転バネ材を介挿したので、凹部に棒片（例えばドライバー）の先端を差込んで、ラッチを反転バネ材の付勢に抗して一定長さ引き出し、左右反転した後、棒片の先端を抜くと、ラッチは反転バネ材の弾力によって引き戻され左右反転した状態になる。従って、錠を取外すことなくラッチだけの姿勢を反転することができる。
【００１５】
また、本発明の請求項１に記載のドアの錠によれば、ドアハンドルの立設片が取付けられた水平バーに上端部が連結された垂直バーをラッチの後端部から立設したので、ドアハンドルの軸とラッチの高さを同じ位置にすることができる。
逆に本発明の請求項２に記載のドアの錠によれば、ドアハンドルの立設片が取付けられた水平バーに下端部が連結された垂直バーをラッチの後端部から垂下設したので、ドアハンドルの軸よりラッチの高さが高位置になる。よって、ラッチの高さをドアを縦方向に二等分する位置に設け、左吊り用ドアおよび右吊り用ドアの両方に適用することができ、しかもラッチの姿勢を、錠を取外すことなく簡単に反転させることができる。
なお、請求項１及び２の発明によれば、反転バネ材の弾力を、第一バネ材のそれより強く設定しているので、ドアハンドルの回動によって第一バネ材が収縮しても反転バネ材は収縮せず、よってラッチを円滑に後退させることができる。
【００１６】
【発明の実施の形態】
（第一実施形態）
図１を参照して、本発明の第一実施形態に係るドアの錠１５について説明する。当該図１は、本発明の第一実施形態に係るドアの錠１５を示す断面図である。
本発明の第一実施形態に係るドアの錠１５は、ドアハンドル９０を回動することによって、ドアハンドル９０の軸９１に固定した立設片６１を介して、水平バー６４を第一バネ材６６に抗して後退させ、該水平バー６４に垂直バー７２を介して連結したラッチ４０を後退させ、逆方向にドアハンドル９０を回動するか、あるいはドアハンドル９０を離すと第二バネ材６５のはたらきによってラッチ４０を前進させるラッチ駆動機構６０を有するものである。
【００１７】
具体的には、ドアハンドル９０の立設片６１が取付けられた水平バー６４にその上端部が連結された垂直バー７２をラッチ４０の後端部４０Ｒに挿通して立設したものであり、ラッチ４０とドアハンドル９０は、同一高さに設けている。また、ドアハンドル９０の軸９１から垂下片６２を設け、当該垂下片６２に第二バネ材６５を弾接させている。
【００１８】
すなわち、水平バー６４とラッチ４０の後端部４０Ｒとを垂直バー７２によって進退動自在に連結し、ラッチ４０の後端部４０Ｒに形成した肉太部４０ｂと垂直バー７２との間に反転バネ材７１を介挿している。水平バー６４は、その後端部に大径部６４ａを有し、大径部６４ａの前に立設片６１が回動自在に取付けられ、また、その前端部に垂直バー７２が第一バネ材６６を介して連結固定されている。この水平バー６４を挿通する状態でストッパー６８が不動に設けられ、前進動した垂直バー７２が突き当たることによってそれ以上の前進動が規制されている。
第一バネ材６６は、つるまきバネで構成され、水平バー６４に嵌装組付けされると共にその後端が固定部材６７に固定され、その前端で垂直バー７２をラッチ４０の突出方向である前方へ付勢している。また第二バネ材６５は、同じくつるまきバネで構成され、収納筒６９に収納されその後端で垂下片６２を後方へ付勢することにより立設片６１を前方へ回動させてドアハンドル９０を定位置にする。垂下片６２の後方には停止突起７０が設けられ、垂下片６２の回動を規制している。
【００１９】
なお、本実施形態にあってはロック機構８０が設けられている。このロック機構８０は、回動部８１を時計回り方向へ回動すると、鍵部材８２が下降し、その下端部が水平バー６４の後端に位置するものである。鍵部材８２の下降移動は、それから突設された突片８３をガイド孔８４に挿通させることによって正確に行われる。鍵部材８２が下降した状態（ロック状態）で、ドアハンドル９０を時計回り方向へ回動しても、水平バー６４の後退動がこの鈎部材によって規制され、ロック状態が維持される。なお、鍵部材８２のロック状態と非ロック状態は共に、ばね部材８５の弾力によって保持される。
【００２０】
この実施形態において、ドア１０を開ける際のラッチ４０の進退動は、これまで同様、ドアハンドル９０を時計回り方向へ回動させることによって行う。すなわち、ドアハンドル９０を回動すると、立設片６１の回動によって水平バー６４が後退し、これに伴い連結片である垂直バー７２を介してラッチ４０が後退する。この際、反転バネ材７１の弾力を、第一バネ材６６のそれより強く設定しているので、第一バネ材６６が収縮しても反転バネ材７１は収縮せず、よってラッチ４０を円滑に後退させることができる。
【００２１】
そして、ラッチ４０を回動自在にすると共に大径の先端頭部４０Ｆとそれより径の小さい後端部４０Ｒとで形成し、しかもラッチ４０の先端頭部４０Ｆに凹部４０ａを形成すると共に、当該ラッチ４０の後端部４０Ｒに第一バネ材６６より大きな弾力を有する反転バネ材７１を介挿している。この凹部４０ａにドライバー９５の先端を差込んで、ラッチ４０を反転バネ材７１の付勢に抗してその後端部４０Ｒがドア１０から突出する一定長さ引き出し、左右を反転させ、その後、ドライバー９５の先端を引き抜くと、ラッチ４０が反転バネ材７１の付勢によって元の位置まで引き戻され左右反転した状態になる。これによって、ラッチ４０の姿勢だけを容易に反転させることができる。
【００２２】
（第二実施形態）
図２乃至図７を参照して、本発明の第二実施形態に係るドアの錠１５について説明する。図２は本発明の第二実施形態に係るドアの錠において、ラッチ４０が前進位置にある状態を示す断面図であり、図３は後退位置にある状態を示す断面図である。図４は図２に示すドアの錠１５において、ラッチ駆動機構６０がロック機構８０によってロックされた状態を示す断面図である。図５は図２に示すドアの錠１５においてラッチを反転させる状態を示す概略断面図である。また、図６は本発明の第二実施形態に係るドアの錠１５を取付けたドア１０とドア枠とのドア構造を示す正面図である。図７は図６の要部を示す部分断面図であって、（ａ）は左吊り用、（ｂ）は右吊り用を示す。
【００２３】
本発明の第二実施形態に係るドアの錠１５は、ドアハンドル９０を回動することによって、ラッチ４０を進退動させるラッチ駆動機構６０を有するものである。当該ラッチ駆動機構６０は、ドアハンドル９０の軸９１から立設した立設片６１と、ドアハンドル９０の軸９１から垂下設した垂下片６２と、ラッチ４０の後端部４０Ｒに挿通し垂下設し、該ラッチ４０が取付けられるドア１０を左吊り用および右吊り用の両方に兼用することを可能とした垂直バー６３と、後端部に設けた大径部６４ａの前側に立設片６１を回動自在に取付けると共に前部に垂直バー６３の下端部を連結した水平バー６４と、垂直バー６３を前方へ付勢してラッチ４０の先端頭部４０Ｆをドア１０から突出させる第一バネ材６６と、垂下片６２を後方へ付勢して立設片６１を前方に回動させドアハンドル９０を定位置に戻す第二バネ材６５とで構成している。第一バネ材６６の後端は固定部材６７に弾接し、第二バネ材６５の前端は収納筒６９に弾接している。
【００２４】
さらに、ラッチ４０を回動自在にすると共に大径の先端頭部４０Ｆとそれより径の小さい後端部４０Ｒとで形成している。また、ラッチ４０の先端頭部４０Ｆに凹部４０ａを形成すると共に、当該ラッチ４０の後端部４０Ｒに形成した肉太部４０ｂと垂直バー６３との間に第一バネ材６６より大きな弾力を有する反転バネ材７１を介挿している。
そして、この凹部４０ａにドライバー９５の先端を差込んで、ラッチ４０を反転バネ材７１の付勢に抗してその後端部４０Ｒがドア１０から突出する一定長さ引き出し、左右を反転させ、その後、ドライバー９５の先端を引き抜くと、ラッチ４０が反転バネ材７１の付勢によって元の位置まで引き戻され左右反転した状態になる。これによって、ラッチ４０の姿勢だけを容易に反転させることができる。
【００２５】
本実施形態に係るドアの錠１５の作用について説明する。ドアハンドル９０を回動していない状態では、ドアハンドル９０の軸９１に一体成形された垂下片６２が第二バネ材６５の弾力によって後方へ押されるので、立設片６１は前方へ回動される（図２参照）。このとき、水平バー６４に連結されている垂直バー６３は第一バネ材６６の弾力によって前方へ押されるので、ラッチ４０の先端頭部４０Ｆがドア１０から突出した状態に維持される。
【００２６】
この状態から、ドア１０を開けるべくドアハンドル９０を時計回り方向へ回動すると、立設片６１が同一方向へ回動して水平バー６４の大径部６４ａに当接して大径部６４ａを後方へ押しやる。これによって、水平バー６４に連結されている垂直バー６３が第一バネ材６６の弾力に逆らって後方移動すると共に、当該垂直バー６３に連結されているラッチ４０が同期して後退移動する（図３参照）。このとき、垂下片６２も第二バネ材６５の弾力に抗して時計回り方向へ回動する。係る状態でドアハンドル９０を引く（あるいは押す）ことによりドア１０が開けられる。
【００２７】
再びドア１０を閉じた状態でドアハンドル９０を解放あるいは反時計回り方向へ回動すると、第二バネ材６５が垂下片６２を反時計回り方向へ付勢すると共に第一バネ材６６が水平バー６４に連結されている垂直バー６３を水平バー６４と共に前方へ付勢する。これによってラッチ４０が前進動してドア１０から突出すると共に軸９１も定位置に復帰する（図２参照）。この状態で、垂直バー６３がストッパー６８に当接すると共に、垂下片６２が停止突起７０に当接するので、ラッチ４０のそれ以上の前進動および軸９１のそれ以上の回動が規制される。
【００２８】
なお、本実施形態に係る錠１５にはロック機構８０が設けられている（図４参照）。このロック機構８０は、回動部８１を時計回り方向へ回動すると、鍵部材８２が下降し、その下端部が水平バー６４の後端に位置するものである。鍵部材８２の下降移動は、それから突設された突片８３をガイド孔８４に挿通させることによって正確に行われる。鍵部材８２が下降した状態（ロック状態）で、ドアハンドル９０を時計回り方向へ回動しても、水平バー６４の後退動がこの鈎部材によって規制され、ロック状態が維持される。なお、鍵部材８２のロック状態と非ロック状態は共に、ばね部材８５の弾力によって保持される。
【００２９】
本実施形態に係るドアの錠１５は、左右兼用のドア１０に取付けられるものである。また、このドア１０は、同じく左右兼用のドア枠に取付けられるものである（図６、７参照）。ドア枠は、ドア１０を回動自在に保持する一対のヒンジ３０、３０を取付けたヒンジ側縦枠材２０と、ラッチ４０を受け入れるラッチ穴５２を本体部分５１に形成したラッチ受け具５０を取付けたラッチ受け具側縦枠材２５と、両者の上端部間に結合された上枠材２９とで構成されている。そして、その上端から上部のヒンジ３０までの距離と、その下端から下部のヒンジ３０までの距離を等しく設定すると共に、ラッチ穴５２をドア枠の中間高さ位置に形成することによって、左用と右用の両方に使用できるようにしている。
【００３０】
また、ドア１０は、ヒンジ３０、３０によってドア枠に回動自在に保持され、本発明に係る錠１５を備えている。そして、錠１５のラッチ４０の位置を、ドア１０の中間高さ位置に設定することによって、左右兼用としている。なお、ドアハンドル９０は、その機能上、ドア１０の中間高さ位置（ラッチ４０の高さ位置）より低く設定する必要があるため、ラッチ４０とドアハンドル９０との間に垂直バー６３を設けている。
【００３１】
図６および図７（ａ）に示すドア構造は左用の状態である。このドア構造を、次のようにして容易に図７（ｂ）に示す右用の状態にすることができる。
すなわち、ドア枠は上下に反転した後、左右を入替える。ドア１０は左右に反転する。まず、ドライバー９５の先端を凹部４０ａに差し込み、ラッチ４０を反転バネ材７１の付勢に抗してその後端部４０Ｒがドア１０から突出する一定長さ引き出す（図５（ａ）参照）。
【００３２】
次に引き出した状態のまま反転させる（図５（ｂ））。つまり、ラッチ４０を反転させようとしたとき、先端頭部４０Ｆは大径であるため、ドア１０に形成されたラッチ４０が突出する孔４５あるいは孔４５に装着されたカバーＣ（カバーＣは装着されたものとされていないものとがある）に当接して反転することができないが、引き出されたラッチ４０の後端部４０Ｒは先端頭部４０Ｆに比較して小径であるので、孔４５あるいはカバーＣ内で反転自存である。
【００３３】
そして最後にドライバー９５を外し、反転バネ材７１の付勢で元の位置に戻す（図５（ｃ））。なお、ヒンジ３０も左右兼用のものを使用する。右用を左用に換えるのも同様にして簡単に行うことができる。これらドア枠、ドア１０および錠１５は共に左右兼用であるため、左用と右用の両方を製造等する必要がなく、極めて生産性に優れる。
【００３４】
【発明の効果】
本発明に記載のドアの錠によれば、ドアハンドルを回動することによって、ラッチを進退動させるラッチ駆動機構を有し、ラッチの先端頭部に凹部を形成すると共に、ラッチの後端部に反転バネ材を介挿したので、凹部に棒片（例えばドライバー）の先端を差込んで、ラッチを反転バネ材の付勢に抗して一定長さ引き出し、左右反転した後、棒片の先端を抜くと、ラッチは反転バネ材の弾力によって引き戻され左右反転した状態になる。従って、錠を取外すことなくラッチだけの姿勢を反転することができる。
【００３５】
これにより錠やプレート等を取外す必要がないためラッチの反転作業がきわめて容易であり、作業性が向上する。また、取付ネジを一旦取外して再び同一箇所に締めることもないので、取付ネジが緩むこともなく、機能が向上する。また、プレートも一枚で足りるので経済的である。さらに、左右兼用のドア枠およびドアと共に使用することにより、きわめて生産性の高いドア構造を提供することができる。
【００３６】
また、本発明の請求項１に記載のドアの錠によれば、ドアハンドルの立設片が取付けられた水平バーに上端部が連結された垂直バーをラッチの後端部から立設したので、ドアハンドルの軸とラッチの高さを同じ位置にすることができる。
逆に本発明の請求項２に記載のドアの錠によれば、ドアハンドルの立設片が取付けられた水平バーに下端部が連結された垂直バーをラッチの後端部から垂下設したので、ドアハンドルの軸よりラッチの高さが高位置になる。よって、ラッチの高さをドアを縦方向に二等分する位置に設け、左吊り用ドアおよび右吊り用ドアの両方に適用することができ、しかもラッチの姿勢を、錠を取外すことなく簡単に反転させることができる。
【図面の簡単な説明】
【図１】本発明の第一実施形態に係るドアの錠を示す断面図である。
【図２】本発明の第二実施形態に係るドアの錠において、ラッチが前進位置にある状態を示す断面図である。
【図３】図２に示すドアの錠において、ラッチが後退位置にある状態を示す断面図である。
【図４】図２に示すドアの錠において、ラッチ駆動機構がロック機構によってロックされた状態を示す断面図である。
【図５】図２に示すドアの錠において、ラッチを反転させる状態を示す概略断面図である。
【図６】本発明の第二実施形態に係るドアの錠を取付けたドアとドア枠とのドア構造を示す正面図である。
【図７】図６の要部を示す部分断面図であって、（ａ）は左吊り用、（ｂ）は右吊り用を示す。
【符号の説明】
１０  ドア
１５  錠
２０  ヒンジ側縦枠材
２５  ラッチ受け具側縦枠材
２９  上枠材
３０  ヒンジ
４０  ラッチ
４０ａ  凹部
４０ｂ  肉太部
４０Ｆ  先端頭部
４０Ｒ  後端部
４５    孔
５０  ラッチ受け具
５１  本体部分
５２  ラッチ穴
６０  ラッチ駆動機構
６１  立設片
６２  垂下片
６３  垂直バー
６４  水平バー
６４ａ  大径部
６５  第二バネ材
６６  第一バネ材
６７  固定部材
６８  ストッパー
６９  収納筒
７０  停止突起
７１  反転バネ材
７２  垂直バー
８０  ロック機構
８１  回動部
８２  鍵部材
８３  突片
８４  ガイド孔
８５  ばね部材
９０  ドアハンドル
９１  軸
９５  棒片（ドライバー）
Ｃ    カバー
【図１】
0003682399.tif 000002
【図２】
0003682399.tif 000003
【図３】
0003682399.tif 000004
【図４】
0003682399.tif 000005
【図５】
0003682399.tif 000006
【図６】
0003682399.tif 000007
【図７】
0003682399.tif 000008